(57)【要約】【課題】組み立てが容易な面発光装置および表示装置を提供する。【解決手段】面発光装置２００は、発光部１０２と拡散板１０３とケース１０１とを備える。発光部１０２は、光を放射する。拡散板１０３は、発光部１０２から放射された光を受けて光る。ケース１０１は、発光部１０２を収容しつつ拡散板１０３を支持し、発光部１０２から放射される光を拡散板１０３に導く。拡散板１０３は、第１の孔１２１、第２の孔１２２、および縁に設けられた第１の凸部１２４を有する。中ケース１０１は、第１の凸部１２４が差し込まれる第１の差込部１１４と、第１の凸部１２４が第１の差込部に差し込まれた状態で第１の孔１２１に嵌め込まれる第１の突起部１１１と、第１の凸部１２４が第１の差込部１１４に差し込まれた状態で第２の孔１２２に嵌め込まれる第２の突起部１１２と、を有する。【選択図】図３
2018049752.tif 000002
【特許請求の範囲】
【請求項１】
光を放射する発光部と、
前記発光部から放射された光を受けて光る発光板と、
前記発光部を収容しつつ前記発光板を支持し、前記発光部から放射される光を前記発光板に導くケースと、を備え、
前記発光板は、第１の孔、第２の孔、および縁に設けられた第１の凸部を有し、
前記ケースは、
前記第１の凸部が差し込まれる第１の差込部と、
前記第１の凸部が前記第１の差込部に差し込まれた状態で前記第１の孔に嵌め込まれる第１の突起部と、
前記第１の凸部が前記第１の差込部に差し込まれた状態で前記第２の孔に嵌め込まれる第２の突起部と、を有する、
ことを特徴とする面発光装置。
【請求項２】
前記第１の孔は、円形の形状を有し、
前記第２の孔は、前記第１の孔と前記第２の孔とを結ぶ線に沿って延びる長孔から構成される、
ことを特徴とする請求項１に記載の面発光装置。
【請求項３】
前記発光板は、第３の孔と縁に設けられた第２の凸部とをさらに有し、
前記ケースは、
前記第２の凸部が差し込まれる第２の差込部と、
前記第２の凸部と前記第１の凸部がそれぞれ前記第１の差込部と前記第２の差込部に差し込まれた状態で前記第３の孔に嵌め込まれる第３の突起部と、を有する、
ことを特徴とする請求項１または２に記載の面発光装置。
【請求項４】
前記発光板は、円盤状の形状を有し、中心部から径方向外側に向かって開口する切込部が形成され、
前記ケースは、
前記切込部内に位置する中心部と、
前記中心部から径方向外側に向かって延び、前記発光板の表面に当接する第１の爪および第２の爪と、
前記発光板の裏面に当接する当接面と、を有する、
ことを特徴とする請求項１から３の何れか１項に記載の面発光装置。
【請求項５】
請求項１から４の何れか１項に記載の面発光装置と、
前記面発光装置に重ねられて配置され、前記面発光装置から放射された光を透過する指標部が形成された表示板と、
前記指標部を指示する指針と、を備える、
ことを特徴とする表示装置。
【発明の詳細な説明】
【技術分野】
【０００１】
本発明は、面発光装置および表示装置に関する。
【背景技術】
【０００２】
引用文献１には、液晶表示パネルと、液晶パネルの裏面に配置される面発光装置（バックライト装置）と、液晶表示パネルを押さえて止める押さえ枠と、を備える液晶表示装置が開示されている。面発光装置は、光拡散板と、光拡散板を保持するセルケースと、光拡散板を裏面から照明する発光部と、を備える。このセルケースには、光拡散板を位置決めする溝部が設けられている。
【０００３】
この液晶表示装置は、以下のように組み立てられる。まず、光拡散板を撓ませながらセルケースに設けられた溝部に挿入する。次に、セルケースのパネル裁置面に液晶表示パネルを載置する。最後に、液晶表示パネルを押さえて止める押さえ枠を装着すると液晶表示装置が完成する。
【先行技術文献】
【特許文献】
【０００４】
【特許文献１】特開２０１１−０２８１５４号公報
【発明の概要】
【発明が解決しようとする課題】
【０００５】
引用文献１の液晶表示装置では、拡散板をセルケースに配置する際、光拡散板を撓ませながら溝部に挿入する必要があり、手間が掛かる。また、溝部に光拡散板が挿入された状態では、光拡散板は固定されておらず、押さえ枠が装着される前にセルケースに衝撃が加わると、光拡散板がずれる虞がある。光拡散板がずれると修正する必要があり、手間が掛かる。このように、従来の液晶表示装置は、組み立てが容易でないという問題点がある。
【０００６】
本発明は、このような実情に鑑みてなされたものであり、組み立てが容易な面発光装置および表示装置を提供することを目的とする。
【課題を解決するための手段】
【０００７】
上記目的を達成するため、本発明の第１の観点に係る面発光装置は、
光を放射する発光部と、
前記発光部から放射された光を受けて光る発光板と、
前記発光部を収容しつつ前記発光板を支持し、前記発光部から放射される光を前記発光板に導くケースと、を備え、
前記発光板は、第１の孔、第２の孔、および縁に設けられた第１の凸部を有し、
前記ケースは、
前記第１の凸部が差し込まれる第１の差込部と、
前記第１の凸部が前記第１の差込部に差し込まれた状態で前記第１の孔に嵌め込まれる第１の突起部と、
前記第１の凸部が前記第１の差込部に差し込まれた状態で前記第２の孔に嵌め込まれる第２の突起部と、を有する、
ことを特徴とする。
【０００８】
上記目的を達成するため、本発明の第２の観点に係る表示装置は、
前記面発光装置と、
前記面発光装置に重ねられて配置され、前記面発光装置から放射された光を透過する指標部が形成された表示板と、
前記指標部を指示する指針と、を備える、
ことを特徴とする。
【発明の効果】
【０００９】
本発明によれば、組み立てが容易な面発光装置および表示装置を提供することができる。
【図面の簡単な説明】
【００１０】
【図１】実施の形態に係る表示装置の正面図である。
【図２】図１のＩＩ−ＩＩ断面図である。
【図３】実施の形態に係る面発光装置を示す分解図である。
【図４】図３のＡ部分の拡大図である。
【図５】実施の形態に係る面発光装置を示す正面図である。
【図６】図５のＢ部分の拡大図である。
【発明を実施するための形態】
【００１１】
以下、本発明を実施するための形態に係る面発光装置および表示装置を、図面を参照しながら説明する。
【００１２】
本発明の実施の形態に係る表示装置１００は、図１に示すように、自動車や二輪車等の車両に搭載され、搭載された車両の速度を表示する速度計（スピードメータ）である。
【００１３】
以下の説明では、表示装置１００を正面視したとき（つまり、ユーザが表示装置１００を正面から見て速度などを確認する場合）の視認者側を「表」といい、背面側を「裏」という。また、上下左右の各方向は、ユーザが表示装置１００を見た場合の方向を示す。
【００１４】
表示装置１００は、図２に示すように、中ケース（ケース）１０１と、発光部１０２と、拡散板（発光板）１０３と、表示板１０４と、指針１０５と、基板１０６と、指針駆動部１０７と、制御部１０８と、を備える。なお、中ケース１０１と、発光部１０２と、拡散板１０３と、は、面発光装置２００を構成する。
【００１５】
中ケース１０１は、ポリプロピレン（Polypropylene）などの白色の樹脂から構成され、内部に発光部１０２を収容しつつ拡散板１０３を支持し、発光部１０２から放射される光を拡散板１０３に導く。また、中ケース１０１は、図３に示すように、拡散板１０３の縁部の裏面が当接する環状の第１の当接面１０９ａを有する。第１の当接面１０９ａには、第１の突起部１１１、第２の突起部１１２、および第３の突起部１１３が設けられている。中ケース１０１の中心部１３０には、後述する拡散板１０３の裏面が当接する環状の第２の当接面１０９ｂと、第１の爪１１６、第２の爪１１７および第３の爪１１８と、が設けられている。第１の爪１１６、第２の爪１１７および第３の爪１１８は、当接面である第２の当接面１０９ｂに垂設された支持部と支持部に垂設された張出部とから構成され、張出部は中心部１３０から外側に向かって延びている。張出部と第２の当接面１０９ｂとの間の間隔は、拡散板１０３の厚みと同じであるか僅かに大きい。中ケース１０１の中心部１３０の周囲には、径方向外側に向かうにつれて表側に近づく椀状の形状を有し、光を反射する反射壁が形成されている。
【００１６】
また、中ケース１０１には、第１の当接面１０９ａを取り囲むように、発光部１０２から照射された光を遮光するための遮光壁１１０が設けられている。また、遮光壁１１０には、第１の差込部１１４、第２の差込部１１５が設けられている。第１の差込部１１４、第２の差込部１１５には、後述する拡散板１０３の第１の凸部１２４、第２の凸部１２５が差し込まれる。
【００１７】
第１の突起部１１１は、図４に示すように、第１の当接面１０９ａに突設され、弾性変形可能な部材（中ケース１０１を構成する樹脂で一体成形されてもよい）から構成されている。第１の突起部１１１には、割り溝が形成され、二股に分岐された先端部１１９ａ、１１９ｂを有し、それぞれの先端部１１９ａ、１１９ｂの外面に突設された爪部１２０ａ、１２０ｂを有する。また、突起部の周辺部および割り溝には、先端部１１９ａ、１１９ｂが弾性変形しやすいように第１の当接面１０９ａに対して段差が設けられている。また、爪部１２０ａ、１２０ｂには、第１の孔１２１に容易に差し込まれるように傾斜面が形成されている。なお、第２の突起部１１２および第３の突起部１１３は、第１の突起部１１１と同様の構造である。
【００１８】
図５および図６に示すように、第１〜第３の突起部１１１〜１１３が、後述する拡散板１０３の第１〜第３の孔１２１〜１２３に押し込まれると、先端部１１９ａ、１１９ｂがそれぞれ弾性変形しそれらの間隔が小さくなり、第１〜第３の突起部１１１〜１１３が第１〜第３の孔１２１〜１２３に嵌まりこむ。第１〜第３の突起部１１１〜１１３が第１〜第３の孔１２１〜１２３に嵌め込まれると、拡散板１０３の裏面は第１の当接面１０９ａに当接し、先端部１１９ａ、１１９ｂの間隔は元に戻る。このとき、拡散板１０３の第１〜第３の孔１２１〜１２３の周辺部は、第１の当接面１０９ａと爪部１２０ａ、１２０ｂとに挟まれる。
【００１９】
図３に戻って、発光部１０２は、ＬＥＤ（Light Emitting Diode）から構成され、拡散板１０３に光を照射する。発光部１０２は、図２に示す制御部１０８に制御される電源部から電力が供給される。
【００２０】
拡散板１０３は、円盤状に形成された透明な樹脂板（ポリカーボネート板など）に光を拡散する光拡散シートが重ねられて配置されたものであり、発光部１０２から放出された光を均一な面光源になるように拡散する。拡散板の１０３には、中心部から径方向外側に向かって開口する切込部１２８が形成されている。切込部１２８は、Ｕ字状の形状を有し、切込部１２８の上端は、第２の当接面１０９ｂに沿った円弧状の形状を有する。拡散板１０３は、縁部に第１の孔１２１、第２の孔１２２、第３の孔１２３、第１の凸部１２４、および第２の凸部１２５を有する。また、拡散板１０３は、切込部１２８に第１の凹部１２６および第２の凹部１２７を有する。第１の孔１２１は、円形の形状を有する。第２の孔１２２は、第１の孔１２１と第２の孔１２２とを結ぶ線Ｌ１に沿って延びる長孔から構成される。第３の孔１２３は、第１の孔１２１と第３の孔１２３とを結ぶ線Ｌ２に沿って延びる長孔から構成される。
【００２１】
拡散板１０３の第１の凹部１２６、第２の凹部１２７は、切込部１２８の上端が第３の爪１１８の上近傍に位置するように中ケース１０１に配置されたとき、第１の爪１１６、第２の爪１１７に向かい合う位置に形成されている。第１の凹部１２６、第２の凹部１２７は、図５に示すように、正面から見て、第１の爪１１６、第２の爪１１７の大きさより大きく、かつ、切込部１２８の上端が第３の爪１１８の支持部に当接したとき、第１の爪１１６、第２の爪１１７が、第１の凹部１２６、第２の凹部１２７の上近傍に配置される大きさに成形されている。また、図３に戻って、拡散板１０３の第１の凸部１２４と第２の凸部１２５は、第１の凹部１２６、第２の凹部１２７が第１の爪１１６、第２の爪１１７に向かい合うように配置されたとき、第１の差込部１１４と第２の差込部１１５の近傍に位置するように形成されている。第１の凸部１２４および第２の凸部１２５は、三角形の板状の形状を有する。第１の差込部１１４と第２の差込部１１５は、第１の凸部１２４と第２の凸部１２５に対応する形状に成形されている。また、第１〜第３の孔１２１〜１２３は、第１の凸部１２４と第２の凸部１２５が第１の差込部１１４と第２の差込部１１５に差し込まれたとき、それぞれ第１〜第３の突起部１１１〜１１３に相対する位置に形成されている。
【００２２】
図１に戻って、表示板１０４は、円盤状の形状を有し、拡散板１０３の表面に重ねられて配置され、ポリカーボネート樹脂により形成された透光性を有する板材と、この板材の両面または片面に形成された遮光性の遮光層と、から構成され、指針１０５の指示対象である目盛り等の指標部１４１を形成している。指標部１４１は、拡散板１０３から放射された光を透過する。表示板１０４を中ケース１０１に固定する方法は任意である。例えば、ツメ部と凹部との嵌め合い等による係止、接着剤による接着、ネジ止め、押圧等が採用される。
【００２３】
指針１０５は、指示部１４２と、指針キャップ１４３と、を有している。指示部１４２は、透光性樹脂から形成され、表示板１０４の径方向に伸長しており、表示板１０４上の指標（速度）を指示する。指針キャップ１４３は、不透光性樹脂から形成され、指針１０５の回転軸部分を遮光する。指示部１４２は、図示しない指針用光源から放射された光を受けて発光するものである。
【００２４】
基板１０６は、図２に示すように、中ケース１０１の裏に配置されている。基板１０６は、平板状のガラスエポキシ系基材に、指針駆動部１０７と制御部１０８とを電気的に接続する回路と、発光部１０２と制御部１０８とを電気的に接続する回路と、を形成した硬質プリント基板から構成される。
【００２５】
指針駆動部１０７は、可動磁石式駆動装置、ステッピングモータ等から構成され、基板１０６に装着されている。指針駆動部１０７は、回転軸１４４が指針１０５のボス部に挿入されることで、指針１０５を支持している。指針駆動部１０７は、制御部１０８から伝達される制御信号に応じた回転角度で回転軸１４４を回転させる。これにより、図１に示すように、指針１０５が車両速度に応じた回転角度で回転し、指針１０５の指示部１４２が表示板１０４の指標部１４１を指示し、車両速度をユーザに知らせることができる。
【００２６】
制御部１０８は、図２に示すように、ＣＰＵ（Central Processing Unit）から構成され、基板１０６に装着される。制御部１０８は、表示装置１００の外部装置（例えば、車両のＥＣＵ（Electronic Control Unit））から車両の速度等の車両情報を取得し、取得した情報に基づいて、発光部１０２や図示しない指針用光源を点灯／消灯させる。また、制御部１０８は、速度に応じた信号を指針駆動部１０７に伝達する。
【００２７】
表示装置１００は、外ケース１３１と、見返し部材１３２と、カバー１３３と、をさらに備える。外ケース１３１は、発光部１０２、拡散板１０３、表示板１０４などが固定された中ケース１０１を収容し、これらを外部から保護する。見返し部材１３２は、黒色の樹脂から形成され、表示板１０４の表面に配置されており、表示板１０４の縁部を隠すようにしている。カバー１３３は、表示装置１００の表面を覆っており、埃等から指針１０５や表示板１０４を保護している。また、カバー１３３は透明な樹脂から構成され、ユーザは、カバー１３３の裏に配設されている指針１０５や表示板１０４等を視認できる。
【００２８】
上記構成を有する表示装置１００は、以下の手順で組み立てられる。
まず、面発光装置２００を組み立てる工程を実施する。
【００２９】
この工程では、図３に示すように、第１の凹部１２６と第２の凹部１２７をそれぞれ第１の爪１１６と第２の爪１１７の位置に合わせて、拡散板１０３を第２の当接面１０９ｂに当接させる。この状態で、切込部１２８の上端が第３の爪１１８の支持部に接触するまで拡散板１０３を下にずらす。すると、図５に示すように、第１の凸部１２４と第２の凸部１２５は、それぞれ第１の差込部１１４と第２の差込部１１５に差し込まれる。また、拡散板１０３は、第１〜第３の爪１１６〜１１８と第２の当接面１０９ｂとの間に配置され、拡散板１０３の中心部が中ケース１０１から離間しないように規制される。
【００３０】
第１の凸部１２４と第２の凸部１２５が、それぞれ中ケース１０１の第１の差込部１１４と第２の差込部１１５に差し込まれると、拡散板１０３は、第１の凸部１２４と第２の凸部１２５と切込部１２８との３点で支持されるため、第１の突起部１１１が第１の孔１２１に、第２の突起部１１２が第２の孔１２２に、第３の突起部１１３が第３の孔１２３に相対する位置に配置される。この状態で、第１〜３の孔１２１〜１２３の周辺部を押圧すると、突起部１１１〜１１３の先端部１１９ａ、１１９ｂが弾性変形し、第１〜第３の突起部１１１〜１１３が第１〜第３の孔１２１〜１２３に嵌まる。第１〜第３の突起部１１１〜１１３が第１〜第３の孔１２１〜１２３に嵌まりこむと、先端部１１９ａ、１１９ｂの間隔は元に戻り、第１〜第３の突起部１１１〜１１３と第１の当接面１０９ａとは、拡散板１０３を支持する。
【００３１】
第１〜第３の突起部１１１〜１１３が拡散板１０３を固定すると、拡散板１０３が中ケース１０１に固定され、面発光装置２００の組み立てが完了する。
【００３２】
続いて、基板１０６を中ケース１０１に配置する工程を実施する。図２に戻って、この工程では、回路が形成された基板１０６に指針駆動部１０７および制御部１０８を配置する。この後、指針駆動部１０７および制御部１０８が配置された基板１０６を中ケース１０１の裏面に固定する。
【００３３】
続いて、仕上げ工程を実施する。この工程では、表示板１０４を拡散板の表面に配置し、表示板１０４の表面に見返し部材１３２を配置する。この後、指針１０５のボス部に指針駆動部１０７の回転軸１４４を挿入し、指針１０５を固定する。この後、中ケース１０１を外ケース１３１に固定する。最後に、カバー１３３を取り付ける。
【００３４】
このような表示装置１００の構成及び組み立て方法によれば、第１の凹部１２６と第２の凹部１２７をそれぞれ第１の爪１１６と第２の爪１１７の位置に合わせて、拡散板１０３を第２の当接面１０９ｂに当接させ、この状態で、拡散板１０３を下にずらすと、拡散板１０３を撓ませずに、第１の凸部１２４と第２の凸部１２５が、中ケース１０１の第１の差込部１１４と第２の差込部１１５に差し込まれる。また、第１〜第３の爪１１６〜１１８が拡散板１０３の表面に配置され、拡散板１０３の中心部が中ケース１０１から離間することを防ぐことができる。また、中ケース１０１に対する拡散板１０３の位置は、第１〜第３の突起部１１１〜１１３、第１の差込部１１４および第２の差込部１１５で決定される。このため、拡散板１０３を中ケース１０１に容易に位置合わせができる。また、第１〜３の孔１２１〜１２３の周辺部を押圧することで、拡散板１０３が、第１〜第３の突起部１１１〜１１３の爪部１２０ａ、１２０ｂと第１の当接面１０９ａとにより、中ケース１０１に固定される。このため、拡散板１０３と中ケース１０１とを容易に組み立てることができる。
【００３５】
また、組み立てた後、面発光装置２００に衝撃が加わっても、図６に示すように、爪部１２０ａ、１２０ｂが拡散板１０３の抜け止めとして機能し、拡散板１０３が中ケース１０１に固定されるため、拡散板１０３が中ケース１０１から離間することを防ぎ、中ケース１０１に拡散板１０３が取り付けられた状態を維持することができる。つまり、表示装置１００の組み立て作業中に、中ケース１０１に配置された拡散板１０３の位置ずれが防止される。このため、位置ずれした拡散板１０３を修正する手間が省かれ、表示装置１００を容易に組み立て兒ことができる。
【００３６】
また、拡散板１０３の第２の孔１２２は、第１の孔１２１と第２の孔１２２とを結ぶ線Ｌ１に沿って延びる長孔から構成され、第３の孔１２３は、第１の孔１２１と第３の孔１２３とを結ぶ線Ｌ２に沿って延びる長孔から構成される。これにより、中ケース１０１のサイズと拡散板１０３のサイズとが、それぞれ、公差の範囲内であれば、第１〜３の孔１２１〜１２３が第１〜第３の突起部１１１〜１１３に入らない事態や拡散板１０３にたわみが生じる事態を防ぐことができる。つまり、中ケース１０１および拡散板１０３のサイズの誤差が仕様で決めている公差の範囲に収まれば、完成品が不良品になることを防ぐことができる。
【００３７】
なお、この発明は、上記実施の形態に限定されず、種々の変形及び応用が可能である。
上述の実施の形態では、中ケース１０１が３つの突起部（第１〜第３の突起部１１１〜１１３）と、２つの差込部（第１の差込部１１４、第２の差込部１１５）と、を備える場合について説明したが、中ケース１０１は、２つ以上の突起部と１つ以上の差込部を備えていればよい。例えば、中ケース１０１が、２つの突起部（第１の突起部１１１、第２の突起部１１２）と１つの差込部（第１の差込部１１４）を備える場合、拡散板１０３は、１つの凸部（第１の凸部１２４）と、この凸部が差込部に差し込まれたときに２つの突起部と相対する位置に配置された２つの孔（第１の孔１２１、第２の孔１２２）と、備える。拡散板１０３の凸部が中ケース１０１の差込部に差し込まれ、拡散板１０３の孔がそれぞれ中ケースの突起部に嵌め込まれると、拡散板１０３は、３点で中ケース１０１に支持されるため、安定して中ケース１０１に固定される。
【００３８】
また、上述の実施の形態では、突起部（第１〜第３の突起部１１１〜１１３）が、二股に分岐された先端部１１９ａ、１１９ｂを有し、それぞれの先端部１１９ａ、１１９ｂの外面に突設された爪部１２０ａ、１２０ｂを有する場合について説明したが、突起部の構造は任意であり、拡散板１０３の面に垂直な方向に押圧することで、突起部が拡散板１０３の孔（第１〜第３の孔１２１〜１２３）に圧入され、拡散板１０３を固定することができるものであれば限定されない。
【００３９】
上述の実施の形態では、第２の孔１２２および第３の孔１２３が長孔から構成される場合について説明したが、第２の孔１２２および第３の孔１２３は、円形の形状を有してもよい。第２の孔１２２および第３の孔１２３が、円形の形状を有することで、拡散板１０３を中ケース１０１により正確な位置に固定することができる。また、第１〜第３の突起部１１１〜１１３が第１〜第３の孔１２１〜１２３に圧入されて、拡散板１０３を中ケース１０１に固定できることができれば、第１〜第３の孔１２１〜１２３の形状は任意であり、四角形などであってもよい。
【００４０】
また、上述の実施の形態では、拡散板の１０３が中心部から径方向外側に向かって開口する切込部１２８が形成されている場合について説明したが、拡散板１０３の形状は任意であり、拡散板の１０３には、切込部１２８が形成されていなくてもよい。また、拡散板１０３は四角形などの板状であってもよい。
【００４１】
また、上述の実施の形態では、中ケース１０１が第２の当接面１０９ｂと爪（第１〜第３の爪１１６〜１１８）とを備える場合について説明したが、中ケース１０１が突起部と差込部とで拡散板１０３を支持できれば、第２の当接面１０９ｂおよび爪を備えなくてもよい。
【００４２】
また、上述の実施の形態では、拡散板１０３が、透明な樹脂板に光を拡散する光拡散シートが重ねられて配置されたものである場合について説明したが、拡散板１０３は、発光部１０２から放出された光を均一な面光源になるように光を拡散するものであれば限定されない。例えば、透明な樹脂板に光を拡散するプリズムシートが重ねられて配置されたものであってもよい。プリズムシートは、マイクロプリズムが形成された透明な樹脂シートから構成される。また、透明な樹脂板に光拡散シートおよびプリズムシートが重ねられて配置されたものであってもよい。この場合、より均一な面光源が得られる。また、拡散板１０３は、半透明の樹脂板から構成されてもよい。
【００４３】
また、上述の実施の形態では、発光部１０２が、ＬＥＤから構成される場合について説明したが、発光部１０２は、拡散板１０３に光を照射するものであれば限定されない。例えば、発光部１０２は、白熱電球またはＥＬ（Electro-Luminescence）ランプであってもよい。また、発光部１０２の配置位置や光源の数は、拡散板１０３を均一に光らせることができるならば、任意である。
【００４４】
また、上述の実施の形態では、表示装置１００が車両の速度を表示する速度計である場合について説明したが、表示装置１００は、エンジンの回転数を示すタコメータやその他の情報を示す計器であってもよい。また、上述の実施の形態では、表示装置１００の表示板１０４が円形の場合について説明したが、表示板１０４の形状は円形に限定されず、四角形やその他の形状であってもよい。
【００４５】
また、上述の実施の形態では、表示装置１００が表示板１０４と指針１０５とを備える場合について説明したが、表示装置１００は、面発光装置２００を備えるものであれば限定されず、表示装置１００は、面発光装置２００と面発光装置２００に重ねられて配置される液晶表示パネルとを備えてもよい。
【００４６】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４７】
本発明は、自動車や二輪車等の速度を表示する速度計に用いられる面発光装置および表示装置に適用可能である。
【符号の説明】
【００４８】
１００  表示装置
１０１  中ケース
１０２  発光部
１０３  拡散板
１０４  表示板
１０５  指針
１０６  基板
１０７  指針駆動部
１０８  制御部
１０９ａ  第１の当接面
１０９ｂ  第２の当接面
１１０  遮光壁
１１１  第１の突起部
１１２  第２の突起部
１１３  第３の突起部
１１４  第１の差込部
１１５  第２の差込部
１１６  第１の爪
１１７  第２の爪
１１８  第３の爪
１１９ａ、１１９ｂ  先端部
１２０ａ、１２０ｂ  爪部
１２１  第１の孔
１２２  第２の孔
１２３  第３の孔
１２４  第１の凸部
１２５  第２の凸部
１２６  第１の凹部
１２７  第２の凹部
１２８  切込部
１３０  中心部
１３１  外ケース
１３２  見返し部材
１３３  カバー
１４１  指標部
１４２  指示部
１４３  指針キャップ
１４４  回転軸
２００  面発光装置
Ｌ１、Ｌ２  線
【図１】
2018049752.tif 000003
【図２】
2018049752.tif 000004
【図３】
2018049752.tif 000005
【図４】
2018049752.tif 000006
【図５】
2018049752.tif 000007
【図６】
2018049752.tif 000008